(57)【特許請求の範囲】
【請求項１】
定電流源から調光レベルに対応する定電流が供給される発光装置であって、
１以上の第一発光素子が直列に接続される第一発光素子列、及び、前記第一発光素子列に並列に接続され、１以上の第二発光素子が直列に接続される第二発光素子列を備え、前記定電流が供給される光源部と、
前記第一発光素子列に直列に接続され、前記第一発光素子列に流れる電流の大きさを検出する第一検出回路と、
前記第一検出回路において検出された電流の大きさに基づいて、前記定電流の大きさに対する前記第一発光素子列に流れる電流の大きさの関係を調整する電流調整回路と、
前記電流調整回路の調整結果として前記調光レベルに対する前記第一発光素子列に流れる電流の大きさの関係が変化することとなる変化点における前記調光レベルを調整する関係調整回路とを備える
発光装置。
【請求項２】
前記変化点は、前記調光レベルに対する前記第一発光素子列に流れる電流の大きさの変化率が変化する点である
請求項１に記載の発光装置。
【請求項３】
前記第一発光素子列の発光色は、前記第二発光素子列の発光色と異なる
請求項１又は２に記載の発光装置。
【請求項４】
前記第一発光素子列に属する前記１以上の第一発光素子の各々の順電圧の和より、前記第二発光素子列に属する前記１以上の第二発光素子の各々の順電圧の和の方が大きい
請求項１〜３のいずれか１項に記載の発光装置。
【請求項５】
前記電流調整回路は、前記第一検出回路において検出された電流の大きさと基準値とを比較し、当該比較の結果に基づいて前記調光レベルに対する前記第一発光素子列に流れる電流の大きさの関係を調整する
請求項１〜４のいずれか１項に記載の発光装置。
【請求項６】
前記第一検出回路は、前記第一発光素子列に直列接続された抵抗素子であり、
前記電流調整回路は、前記第一発光素子列に流れる電流を調整するトランジスタと、前記第一検出回路での電圧降下と前記基準値とを比較し、当該比較の結果に応じた電圧を前記トランジスタの制御端子に印加する比較演算増幅回路とを有する
請求項５に記載の発光装置。
【請求項７】
前記関係調整回路は、前記基準値を調整することによって、前記変化点における前記調光レベルを調整する
請求項５又は６に記載の発光装置。
【請求項８】
前記関係調整回路は、前記基準値を調整する可変抵抗素子である
請求項７に記載の発光装置。
【請求項９】
前記関係調整回路は、前記光源部に直列接続された可変抵抗素子である
請求項６に記載の発光装置。
【請求項１０】
前記関係調整回路は、前記調光レベルが所定の値である場合に対応する前記定電流の大きさに基づいて前記変化点における前記調光レベルを調整する
請求項１〜７のいずれか１項に記載の発光装置。
【請求項１１】
前記関係調整回路は、前記調光レベルが前記所定の値である場合に対応する前記定電流の大きさに対応する値を記憶する記憶部を備える
請求項１０に記載の発光装置。
【請求項１２】
前記第二発光素子列に流れる電流を検出する第二検出回路をさらに備える
請求項１〜１１のいずれか１項に記載の発光装置。
【請求項１３】
前記第一発光素子列、前記第二発光素子列、前記第一検出回路、前記電流調整回路及び前記関係調整回路は、同一の基台上に実装されている
請求項１〜１２のいずれか１項に記載の発光装置。
【請求項１４】
請求項１〜１３のいずれか１項に記載の発光装置と、
前記定電流源とを備える
照明器具。
【請求項１５】
前記定電流源は、位相変調器を介して交流電力が供給される調光ＬＥＤドライバである
請求項１４に記載の照明器具。
【請求項１６】
１以上の第一発光素子が直列に接続される第一発光素子列、及び、前記第一発光素子列に並列に接続され、１以上の第二発光素子が直列に接続される第二発光素子列を備え、定電流源から調光レベルに対応する定電流が供給される光源部と、
前記第一発光素子列に直列に接続され、前記第一発光素子列に流れる電流の大きさを検出する第一検出回路と、
前記第一検出回路において検出された電流の大きさに基づいて、前記定電流の大きさに対する前記第一発光素子列に流れる電流の大きさの関係を調整する電流調整回路とを備える発光装置の調整方法であって、
前記電流調整回路の調整結果として前記調光レベルに対する前記第一発光素子列に流れる電流の大きさの関係が変化することとなる変化点における前記調光レベルを調整する
発光装置の調整方法。
【請求項１７】
前記調光レベルが所定の値である場合に対応する前記定電流の大きさに基づいて、前記変化点における前記調光レベルを調整する
請求項１６に記載の発光装置の調整方法。
【請求項１８】
前記第二発光素子列に流れる電流の大きさを検出する第二検出回路を前記第二発光素子列に直列に接続し、
前記調光レベルが所定の値である場合に対応する前記定電流を前記光源部に供給し、
前記第一検出回路において検出された電流の大きさ、及び、前記第二検出回路において検出された電流の大きさに基づいて、前記変化点における前記調光レベルを調整する
請求項１６に記載の発光装置の調整方法。
【請求項１９】
前記第一検出回路は、第一抵抗素子であり、
前記第二検出回路は、第二抵抗素子であり、
前記第一検出回路の一端と、前記第二検出回路の一端との電位差が所定の値以下となるように、前記変化点における前記調光レベルを調整する
請求項１８に記載の発光装置の調整方法。
【発明の詳細な説明】
【技術分野】
【０００１】
本発明は、複数の発光素子列の各々に電流を供給する発光装置、当該発光装置を備える照明器具及び当該発光装置の調整方法に関する。
【背景技術】
【０００２】
従来、照明器具には、複数の発光素子列を有する光源部を備えるものがある（例えば、特許文献１参照）。当該特許文献１に記載の照明器具の光源においては、複数の第一発光素子を直列に接続した第一発光素子列と、複数の第二発光素子を直列に接続した第二発光素子列とが並列に接続されている。第一発光素子と第二発光素子とは色温度が異なる。特許文献１に記載の照明器具では、調光に伴い各発光素子列に流す電流を調整することにより、照明器具全体の色温度を変化させている。
【先行技術文献】
【特許文献】
【０００３】
【特許文献１】国際公開第２０１３／１１８２０８号
【発明の概要】
【発明が解決しようとする課題】
【０００４】
しかしながら、特許文献１に記載の照明器具では、調光レベルと色温度との関係を調整することができない。
【０００５】
そこで、本発明は、複数の発光素子列を備える発光装置であって、調光レベルと各発光素子列に流れる電流との関係を調整できる発光装置、当該発光装置を備える照明器具、及び、当該発光装置の調整方法を提供することを目的とする。
【課題を解決するための手段】
【０００６】
上記目的を達成するため、本発明の一態様に係る発光装置は、定電流源から調光レベルに対応する定電流が供給される発光装置であって、１以上の第一発光素子が直列に接続される第一発光素子列、及び、前記第一発光素子列に並列に接続され、１以上の第二発光素子が直列に接続される第二発光素子列を備え、前記定電流が供給される光源部と、前記第一発光素子列に直列に接続され、前記第一発光素子列に流れる電流の大きさを検出する第一検出回路と、前記第一検出回路において検出された電流の大きさに基づいて、前記定電流の大きさに対する前記第一発光素子列に流れる電流の大きさの関係を調整する電流調整回路と、前記電流調整回路の調整結果として前記調光レベルに対する前記第一発光素子列に流れる電流の大きさの関係が変化することとなる変化点における前記調光レベルを調整する関係調整回路とを備える。
【０００７】
また、上記目的を達成するため、本発明の一態様に係る発光装置の調整方法は、１以上の第一発光素子が直列に接続される第一発光素子列、及び、前記第一発光素子列に並列に接続され、１以上の第二発光素子が直列に接続される第二発光素子列を備え、定電流源から調光レベルに対応する定電流が供給される光源部と、前記第一発光素子列に直列に接続され、前記第一発光素子列に流れる電流の大きさを検出する第一検出回路と、前記第一検出回路において検出された電流の大きさに基づいて、前記定電流の大きさに対する前記第一発光素子列に流れる電流の大きさの関係を調整する電流調整回路とを備える発光装置の調整方法であって、前記電流調整回路の調整結果として前記調光レベルに対する前記第一発光素子列に流れる電流の大きさの関係が変化することとなる変化点における前記調光レベルを調整する。
【発明の効果】
【０００８】
本発明によれば、調光レベルと各発光素子列に流れる電流との関係を調整できる発光装置、当該発光装置を備える照明器具、及び、当該発光装置の調整方法を提供することができる。
【図面の簡単な説明】
【０００９】
【図１】図１は、実施の形態１に係る照明器具の回路構成の一例を示す回路図である。
【図２】図２は、実施の形態１に係る第一発光素子列及び第二発光素子列の配置の一例を示す断面図である。
【図３】図３は、実施の形態１に係る第一発光素子列に流れる電流及び第二発光素子列に流れる電流と定電流との関係の一例を示すグラフである。
【図４】図４は、実施の形態１に係る発光装置の色温度と照度との関係を示すグラフである。
【図５】図５は、実施の形態１に係る調光ＬＥＤドライバの調光レベルと出力電流との関係の概要を示すグラフである。
【図６】図６は、実施の形態１に係る照明器具の使用態様の一例を示す概略回路図である。
【図７】図７は、実施の形態１に係る関係調整回路を用いて調整を行う前の各照明器具の各発光素子列に流れる電流及び定電流と調光レベルとの関係の一例を示すグラフである。
【図８】図８は、実施の形態１に係る関係調整回路を用いて調整を行う前の各照明器具の各発光素子列に流れる電流の大きさの定電流の大きさに対する比と、調光レベルとの関係を示すグラフである。
【図９】図９は、実施の形態１に係る発光装置の調整方法を示すフローチャートである。
【図１０】図１０は、実施の形態１に係る関係調整回路を用いて調整を行った後の各照明器具の各発光素子列に流れる電流及び定電流と調光レベルの関係の一例を示すグラフである。
【図１１】図１１は、実施の形態１に係る関係調整回路を用いて調整を行った後の各照明器具の各発光素子列に流れる電流の大きさの定電流の大きさに対する比と、調光レベルとの関係を示すグラフである。
【図１２】図１２は、実施の形態２に係る照明器具の概略構成を示す回路図である。
【図１３】図１３は、実施の形態２に係る照明器具の使用態様の一例を示す概略回路図である。
【図１４】図１４は、実施の形態２に係る関係調整回路を用いて調整を行う前の各照明器具の各発光素子列に流れる電流及び定電流と調光器のＯＮ位相角度との関係の一例を示すグラフである。
【図１５】図１５は、実施の形態２に係る関係調整回路を用いて調整を行う前の各照明器具の各発光素子列に流れる電流の大きさの定電流の大きさに対する比と、調光器のＯＮ位相角度との関係を示すグラフである。
【図１６】図１６は、実施の形態２に係る関係調整回路を用いて調整を行った後の各照明器具の各発光素子列に流れる電流及び定電流と調光器のＯＮ位相角度との関係の一例を示すグラフである。
【図１７】図１７は、実施の形態２に係る関係調整回路を用いて調整を行った後の各照明器具の各発光素子列に流れる電流の大きさの定電流の大きさに対する比と、調光器のＯＮ位相角度との関係を示すグラフである。
【図１８】図１８は、実施の形態３に係る照明器具の回路構成の一例を示す回路図である。
【図１９】図１９は、実施の形態３に係る発光装置の調整方法を示すフローチャートである。
【図２０】図２０は、実施の形態４に係る照明器具の回路構成の一例を示す回路図である。
【図２１】図２１は、実施の形態５に係る照明器具の回路構成の一例を示す回路図である。
【図２２】図２２は、実施の形態５に係る発光装置の調整方法を示すフローチャートである。
【図２３】図２３は、実施の形態６に係る照明器具の回路構成の一例を示す回路図である。
【図２４】図２４は、実施の形態６における第一発光素子列及び第二発光素子列に流れる電流と定電流との関係の一例を示すグラフである。
【図２５】図２５は、実施の形態７に係る照明器具の外観の一例を示す斜視図である。
【図２６】図２６は、実施の形態１に係る発光装置において、定電流検出回路を設けない場合における第一発光素子列及び第二発光素子列に流れる電流と定電流との関係の一例を示すグラフである。
【発明を実施するための形態】
【００１０】
（本発明の基礎となった知見）
本発明の説明に先立って、本発明の基礎となった知見について説明する。
【００１１】
特許文献１に記載の照明器具では、調光レベルに対応して色温度が変化する。当該照明器具では、電流源の特性の個体差に起因して、調光レベルと色温度との関係が変化し得る。つまり、調光レベルに対応する電流源の出力電流に個体差があり得るため、特定の調光レベルで当該照明器具を点灯させる場合であっても、電流源の特性に応じて当該照明器具の色温度が異なり得る。このため、例えば一つの調光器を用いて複数の当該照明器具を調光する場合に、各照明器具の色温度が揃わないことがある。
【００１２】
なお、電流源の特性の個体差を抑制するための構成を電流源に設けることは技術的に可能だが、電流源の構成が複雑化され、かつ、電流源に要するコストが増大する。
【００１３】
そこで、本発明は、複数の発光素子列を備える発光装置であって、調光レベルと各発光素子列に流れる電流との関係を調整できる発光装置、当該発光装置を備える照明器具、及び、当該発光装置の調整方法を提供することを目的とする。
【００１４】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１５】
また、各図は、模式図であり、必ずしも厳密に図示されたものではない。また、各図において、同じ構成部材については同じ符号を付している。
【００１６】
（実施の形態１）
実施の形態１に係る発光装置、当該発光装置を備える照明器具、及び、当該発光装置の調整方法について説明する。
【００１７】
［１−１．照明器具の構成］
まず、本実施の形態に係る照明器具の構成について図面を用いて説明する。
【００１８】
図１は、本実施の形態に係る照明器具２Ａの回路構成の一例を示す回路図である。
【００１９】
照明器具２Ａは、調光機能を備えた照明器具であり、図１に示されるように、調光ＬＥＤドライバ３０と、発光装置１Ａとを備える。照明器具２Ａは、交流電源５０から交流電力が供給される。また、照明器具２Ａの調光レベルは、調光器４０によって決定される。
【００２０】
交流電源５０は、例えば、外部商用電源などの系統電源である。
【００２１】
調光器４０は、照明器具の調光レベルを設定する機器である。本実施の形態では、調光器４０は、調光ＬＥＤドライバ３０に調光レベルを示す調光信号を出力する。
【００２２】
調光ＬＥＤドライバ３０は、発光装置１Ａに定電流Ｉ０を供給する定電流源である。本実施の形態では、調光ＬＥＤドライバ３０は、調光器４０から入力される調光信号に対応する定電流Ｉ０を発光装置１Ａに供給する。調光ＬＥＤドライバ３０は、調光信号に対応する調光レベルを実現するための調光回路を有する。調光回路としては、例えば、位相調光回路を用いることができる。調光回路は、交流電圧の位相（ＯＮ位相）の範囲を調整する。なお、調光回路として、ＰＷＭ（Ｐｕｌｓｅ  Ｗｉｄｔｈ  Ｍｏｄｕｌａｔｉｏｎ）型の調光回路を用いてもよい。また、調光ＬＥＤドライバ３０は、さらに、昇圧又は降圧回路、整流回路及び平滑回路等を有し（不図示）、調光回路から出力された交流電圧を直流電圧に変換し、変換された直流電圧に応じた大きさの定電流Ｉ０（直流電流）を光源部２０Ａに対して供給する。上記のような調光ＬＥＤドライバ３０の詳細は、当業者にとって広く知られているため、その説明を省略する。
【００２３】
［１−１−１．発光装置の構成］
発光装置１Ａは、色温度の異なる複数の光源（発光素子列）を備えており、調光ＬＥＤドライバ３０から出力される定電流Ｉ０の大きさという１つのパラメータの変更に応じて、出射する光の調色を行う装置である。つまり、発光装置１Ａは、調光レベルに応じて調色を行う。発光装置１Ａでは、定電流Ｉ０を複数の発光素子列に分配するように構成されており、複数の発光素子列の各々に流す電流の比率を変化させて各発光素子列の明るさを調整することにより調色を行う。
【００２４】
発光装置１Ａは、図１に示されるように、主に、光源部２０Ａと、三端子レギュレータＶｒｅｇと、第一検出回路（抵抗素子Ｒｄ１）と、定電流検出回路（抵抗素子Ｒｄ０）と、電流調整回路１０Ａと、関係調整回路（可変抵抗素子Ｒｉ）とを備える。以下、発光装置１Ａの各構成要素について説明する。
【００２５】
［光源部］
光源部２０Ａは、１以上の第一発光素子が直列に接続される第一発光素子列ＬＥＤＧ１、及び、第一発光素子列ＬＥＤＧ１に並列に接続され、１以上の第二発光素子が直列に接続される第二発光素子列ＬＥＤＧ２を備える。光源部２０Ａは、定電流源である調光ＬＥＤドライバ３０から定電流Ｉ０が供給される。
【００２６】
本実施の形態では、第一発光素子列ＬＥＤＧ１は、直列に接続された４個の同種のＬＥＤを備える発光素子列（発光モジュール）である。ここで、「同種」のＬＥＤとは、順電圧の大きさが同じＬＥＤを意味する。当該４個のＬＥＤは、第一発光素子の一例である。第一発光素子列ＬＥＤＧ１を構成する４個のＬＥＤは、色温度が２７００Ｋのいわゆる電球色のＬＥＤである。なお、第一発光素子列ＬＥＤＧ１が備える４個のＬＥＤは、同じ色温度であればよいが、ここでいう「同種」のＬＥＤを使用することにより、コストを低減できる。
【００２７】
なお、第一発光素子列ＬＥＤＧ１が備えるＬＥＤは、各々が２７００Ｋの色温度で発光してもよいし、ＬＥＤ各々の発光色が蛍光体などにより２７０００Ｋの色温度の光に変換されてもよい。
【００２８】
以下では、第一発光素子列ＬＥＤＧ１の電流が流れる向きにおける先頭のＬＥＤのカソード端子を第一発光素子列ＬＥＤＧ１のカソード端子と称し、電流が流れる向きにおける４番目のＬＥＤのアノード端子を第一発光素子列ＬＥＤＧ１のアノード端子と称する。第一発光素子列ＬＥＤＧ１は、アノード端子がノードＮ１に、カソード端子がノードＮ３にそれぞれ接続されている。また、第一発光素子列ＬＥＤＧ１に流れる電流を電流Ｉ１とする。
【００２９】
本実施の形態では、第二発光素子列ＬＥＤＧ２は、直列に接続された５個の同種のＬＥＤを備える発光素子列（発光モジュール）である。ここで、「同種」のＬＥＤとは、順電圧の大きさが同じＬＥＤを意味する。当該５個のＬＥＤは、第二発光素子の一例である。第二発光素子列ＬＥＤＧ２を構成する５個のＬＥＤは、色温度が５０００Ｋのいわゆる昼白色のＬＥＤである。なお、第二発光素子列ＬＥＤＧ２を構成するＬＥＤの順電圧は全て同じであり、ここでは、第一発光素子列ＬＥＤＧ１を構成するＬＥＤの順電圧と同じである。なお、第二発光素子列ＬＥＤＧ２が備える５個のＬＥＤは、同じ色温度であればよいが、ここでいう「同種」のＬＥＤを使用することにより、コストを低減できる。
【００３０】
なお、第二発光素子列ＬＥＤＧ２が備えるＬＥＤは、各々が５０００Ｋの色温度で発光してもよいし、ＬＥＤ各々の発光色を蛍光体などにより５０００Ｋの色温度の光に変換してもよい。
【００３１】
以下では、第二発光素子列ＬＥＤＧ２の電流が流れる向きにおける先頭のＬＥＤのカソード端子を第二発光素子列ＬＥＤＧ２のカソード端子と称し、電流が流れる向きにおける５番目のＬＥＤのアノード端子を第二発光素子列ＬＥＤＧ２のアノード端子と称する。第二発光素子列ＬＥＤＧ２は、アノード端子がノードＮ１に、カソード端子がノードＮ２にそれぞれ接続されている。また、第二発光素子列ＬＥＤＧ２に流れる電流を電流Ｉ２とする。
【００３２】
本実施の形態では、第一発光素子列ＬＥＤＧ１のＬＥＤの個数が、第二発光素子列ＬＥＤＧ２のＬＥＤの個数よりも少なくなっている。つまり、第一発光素子列ＬＥＤＧ１に属する１以上のＬＥＤの各々の順電圧の和より、第二発光素子列ＬＥＤＧ２に属する１以上のＬＥＤの各々の順電圧の和の方が大きい。このため、ノードＮ１とノードＮ２との間の電圧差が、第一発光素子列ＬＥＤＧ１の順電圧の和より大きく第二発光素子列ＬＥＤＧ２の順電圧の和よりも小さいときは、第一発光素子列ＬＥＤＧ１には電流が流れるが第二発光素子列ＬＥＤＧ２には電流が流れないことになる。つまり、本実施の形態では、第一発光素子列ＬＥＤＧ１を点灯させ、第二発光素子列ＬＥＤＧ２を消灯させる調光が可能になる。
【００３３】
なお、本実施の形態に係る発光装置１Ａでは、上述の各発光素子列に流す電流の比率を変化させて各発光素子列の明るさを調整することにより調色を行うが、各発光素子列の明るさを調整することにより、発光装置１Ａの配光性を変化させてもよい。発光装置１Ａの配光性を変化させる構成例について図面を用いて説明する。
【００３４】
図２は、本実施の形態に係る第一発光素子列ＬＥＤＧ１及び第二発光素子列ＬＥＤＧ２の配置の一例を示す断面図である。円錐台状の基台２２上に、第一発光素子列ＬＥＤＧ１及び第二発光素子列ＬＥＤＧ２が配置されている。第一発光素子列ＬＥＤＧ１を構成する４個のＬＥＤは、基台２２の斜面に分散して配置されている（図２では２つのＬＥＤを例示している）。第二発光素子列ＬＥＤＧ２は、基台２２の上面に分散して配置されている（図２では３つのＬＥＤを例示している）。このように、第一発光素子列ＬＥＤＧ１及び第二発光素子列ＬＥＤＧ２を配置する角度及び位置を調整することにより、第一発光素子列ＬＥＤＧ１及び第二発光素子列ＬＥＤＧ２の配光性を異ならせることができる。
【００３５】
なお、図２に示される基台２２上に第一発光素子列ＬＥＤＧ１及び第二発光素子列ＬＥＤＧ２が実装されてもよい。また、図２には示されていないが、基台２２には、第一検出回路、電流調整回路１０Ａ及び関係調整回路が実装されてもよい。
【００３６】
［三端子レギュレータ］
三端子レギュレータＶｒｅｇは、定電圧を生成する回路であり、入力端子ＩＮがノードＮ９に、出力端子ＯＵＴがノードＮ６に接続されている。入力端子ＩＮと接地端子ＧＮＤとの間にはコンデンサＣ２が接続されている。出力端子ＯＵＴと接地端子ＧＮＤとの間にはコンデンサＣ３が接続されている。
【００３７】
入力端子ＩＮは、抵抗素子Ｒｓ１を介して、調光ＬＥＤドライバ３０の高電位側の出力端子（ノードＮ１）に接続されている。ノードＮ１と入力端子ＩＮとの間に挿入される抵抗素子Ｒｓ１は、入力端子ＩＮに印加される電圧を適切な大きさに調整するための素子である。
【００３８】
［第一検出回路］
第一検出回路は、第一発光素子列ＬＥＤＧ１に直列に接続され、第一発光素子列ＬＥＤＧ１に流れる電流Ｉ１の大きさを検出する回路である。第一検出回路は、本実施の形態では、一端がノードＮ４に、他端がノードＮ２にそれぞれ接続された抵抗素子Ｒｄ１である。
【００３９】
ノードＮ４は、電流調整回路１０Ａを構成するトランジスタＱ１のソース端子、及び、電流調整回路１０Ａを構成するオペアンプＯＰ１のマイナス側入力端子が接続されているノードである。
【００４０】
つまり、ノードＮ２の電圧に抵抗素子Ｒｄ１の電圧降下に相当する電圧を加算した電圧が、オペアンプＯＰ１のマイナス側入力端子に入力される。抵抗素子Ｒｄ１の抵抗値をＲ１とすると、抵抗素子Ｒｄ１における電圧降下に相当する電圧は、Ｒ１×Ｉ１で表わされるため、オペアンプＯＰ１のマイナス側入力端子に入力される電圧は、第一発光素子列ＬＥＤＧ１に流れる電流Ｉ１の大きさに依存した電圧となる。抵抗素子Ｒｄ１を第一発光素子列ＬＥＤＧ１に直列に接続することで、電流Ｉ１の大きさを検出することが可能になる。
【００４１】
［定電流検出回路］
定電流検出回路は、定電流Ｉ０の大きさを検出する回路である。定電流検出回路は、本実施の形態では、一端がノードＮ２に、他端が調光ＬＥＤドライバ３０の低電圧側端子（ノードＮ５）に接続された抵抗素子Ｒｄ０である。
【００４２】
ノードＮ２の電圧は、抵抗素子Ｒｄ０の抵抗値をＲ０とすると、調光ＬＥＤドライバ３０の低電圧側端子（ノードＮ５）の電圧に抵抗素子Ｒｄ０における電圧降下に相当する電圧（Ｒ０×Ｉ０）を加算した電圧となる。本実施の形態では、オペアンプＯＰ１のマイナス側入力端子には、抵抗素子Ｒｄ０における電圧降下に相当する電圧と、第一検出回路である抵抗素子Ｒｄ１における電圧降下に相当する電圧とを加算した電圧が入力されることになる。抵抗素子Ｒｄ０を設けることで、定電流Ｉ０を検出することができる。
【００４３】
［電流調整回路］
電流調整回路１０Ａは、第一検出回路において検出された電流の大きさに基づいて、定電流Ｉ０の大きさに対する第一発光素子列に流れる電流の大きさの関係を調整する回路である。より詳細には、電流調整回路１０Ａは、第一検出回路において検出された電流の大きさと基準値とを比較することにより、定電流Ｉ０の大きさに対する第一発光素子列ＬＥＤＧ１に流れる電流の大きさの関係を変化させる。なお、本実施の形態に係る電流調整回路１０Ａは、第一発光素子列ＬＥＤＧ１に流れる電流の大きさに加え、定電流検出回路において検出された定電流Ｉ０の大きさに応じて、第一発光素子列ＬＥＤＧ１に流れる電流の大きさを調整する。
【００４４】
電流調整回路１０Ａは、図１に示されるように、分圧回路と、トランジスタＱ１と、比較演算増幅回路と、コンデンサＣ１とを備える。
【００４５】
分圧回路は、三端子レギュレータＶｒｅｇから出力された定電圧から基準電圧Ｖｒｅｆを生成する回路であり、定電圧を分圧した電圧を図１に示されるオペアンプＯＰ１のプラス側入力端子に出力する。分圧回路は、可変抵抗素子Ｒｉ及び抵抗素子Ｒｉ２の直列回路で構成されており、可変抵抗素子Ｒｉと抵抗素子Ｒｉ２との接続ノードであるノードＮ７が出力ノードとなっている。可変抵抗素子Ｒｉは、一端がノードＮ５に、他端がノードＮ７にそれぞれ接続されている。抵抗素子Ｒｉ２は、一端がノードＮ６（三端子レギュレータＶｒｅｇの出力端子ＯＵＴが接続されたノード）に、他端がノードＮ７にそれぞれ接続されている。
【００４６】
基準電圧Ｖｒｅｆは、可変抵抗素子Ｒｉの抵抗値をＲ１１、抵抗素子Ｒｉ２の抵抗値をＲ１２とすると、（三端子レギュレータＶｒｅｇの出力電圧）×Ｒ１１／（Ｒ１１＋Ｒ１２）で求められる電圧となる。
【００４７】
トランジスタＱ１は、第一発光素子列ＬＥＤＧ１に流れる電流を調整するトランジスタである。トランジスタＱ１は、ＭＯＳＦＥＴであり、ゲート端子がノードＮ８に、ドレイン端子が第一発光素子列ＬＥＤＧ１のカソード端子（ノードＮ３）に、ソース端子がオペアンプＯＰ１のマイナス側入力端子及び抵抗素子Ｒｄ１の一端（ノードＮ４）にそれぞれ接続されている。つまり、第一発光素子列ＬＥＤＧ１と、トランジスタＱ１のドレイン端子及びソース端子と、第一検出回路である抵抗素子Ｒｄ１とが、ノードＮ１とノードＮ２との間で直列に接続されている。
【００４８】
比較演算増幅回路は、抵抗素子Ｒｄ１及び抵抗素子Ｒｄ０での電圧降下と基準値とを比較し、当該比較結果に応じた電圧をトランジスタＱ１の制御端子（すなわち、ゲート端子）に印加する回路である。比較演算増幅回路は、ここでは、プラス側入力端子が分圧回路の出力ノード（ノードＮ７）に、マイナス側入力端子が第一検出回路の出力ノードであるノードＮ４に、出力端子がトランジスタＱ１のゲート端子（ノードＮ８）にそれぞれ接続されたオペアンプＯＰ１である。オペアンプＯＰ１のマイナス側入力端子と出力端子との間には、抵抗素子Ｒｉ３が接続されている。
【００４９】
オペアンプＯＰ１のマイナス側入力端子には、調光ＬＥＤドライバ３０の低電圧側端子の電位に、抵抗素子Ｒｄ０における電圧降下（Ｒ０×Ｉ０）と、抵抗素子Ｒｄ１における電圧降下（Ｒ１×Ｉ１）とを加算した電圧Ｖ１−が入力される。オペアンプＯＰ１は、抵抗素子Ｒｄ１における電圧降下（Ｒ１×Ｉ１）及び抵抗素子Ｒｄ０における電圧降下（Ｒ０×Ｉ０）と、基準電圧Ｖｒｅｆ（＝基準値）とを比較する。オペアンプＯＰ１は、マイナス側入力端子に入力された電圧が基準電圧Ｖｒｅｆよりも小さい場合は、マイナス側入力端子と基準電圧Ｖｒｅｆとの差分に応じた大きさのＨレベルの信号を出力する。オペアンプＯＰ１は、マイナス側入力端子に入力された電圧が基準電圧Ｖｒｅｆよりも大きい場合は、Ｌレベルの信号を出力する。
【００５０】
コンデンサＣ１は、第一発光素子列ＬＥＤＧ１に流れる電流を急激な変化、及び、振動を抑制するための素子である。コンデンサＣ１は、ノードＮ３とノードＮ５との間に接続される。
【００５１】
［関係調整回路］
関係調整回路は、電流調整回路の調整結果として調光レベルに対する第一発光素子列ＬＥＤＧ１に流れる電流の大きさの関係が変化することとなる変化点における調光レベルを調整する回路である。本実施の形態では、関係調整回路は、図１に示される電流調整回路１０Ａの分圧回路を構成する可変抵抗素子Ｒｉである。可変抵抗素子Ｒｉの抵抗値を変化させることにより、分圧回路が生成する基準電圧Ｖｒｅｆを調整することができる。このように基準電圧Ｖｒｅｆを調整することにより、調光レベルに対する第一発光素子列ＬＥＤＧ１に流れる電流の大きさの関係が変化することとなる変化点における調光レベルを調整することができる。
【００５２】
［１−２．動作］
電流調整回路１０Ａの動作について、図面を用いて説明する。
【００５３】
図３は、本実施の形態に係る第一発光素子列ＬＥＤＧ１に流れる電流Ｉ１及び第二発光素子列ＬＥＤＧ２に流れる電流Ｉ２と定電流Ｉ０との関係の一例を示すグラフである。
【００５４】
図３では、横軸が定電流Ｉ０の大きさを、縦軸が電流Ｉ１及びＩ２の大きさをそれぞれ示している。
【００５５】
図３では、電流Ｉ２が０になる範囲Ｚ１、電流Ｉ１及び電流Ｉ２の両方が０より大きくなる範囲Ｚ２、及び、電流Ｉ１が０になる範囲Ｚ３がある。
【００５６】
（１）範囲Ｚ１
範囲Ｚ１は、定電流Ｉ０の大きさが第一閾値以下である範囲である。範囲Ｚ１では、第一発光素子列ＬＥＤＧ１が点灯し、第二発光素子列ＬＥＤＧ２が消灯している。
【００５７】
このとき、Ｖｒｅｆ≧（Ｒ０＋Ｒ１）×Ｉ０となることから、第一閾値は、Ｖｒｅｆ／（Ｒ０＋Ｒ１）となる。範囲Ｚ１において、電流調整回路１０Ａは、第二発光素子列ＬＥＤＧ２に流れる電流Ｉ２が０となるように、第一発光素子列ＬＥＤＧ１に流れる電流Ｉ１の大きさを変化させる。
【００５８】
範囲Ｚ１では、オペアンプＯＰ１のマイナス側入力端子の電圧Ｖ１−は、Ｖｒｅｆよりも十分に小さいため、オペアンプＯＰ１の出力電圧はいわゆるＨレベルに固定される。これにより、トランジスタＱ１は、線形領域で動作する（いわゆるドレインソース間の抵抗値が非常に小さくなる）。
【００５９】
言い換えると、範囲Ｚ１は、第二発光素子列ＬＥＤＧ２の順電圧の和が、第一発光素子列ＬＥＤＧ１の順電圧の和に抵抗素子Ｒｄ１における電圧降下を加算した電圧よりも大きい範囲であり、第二発光素子列ＬＥＤＧ２の電流Ｉ２が０になっている。
【００６０】
なお、上述のとおり第一閾値は、Ｖｒｅｆ／（Ｒ０＋Ｒ１）であるため、関係調整回路によって、Ｖｒｅｆを調整することによって、第一閾値を調整することができる。
【００６１】
（２）範囲Ｚ２
範囲Ｚ２は、定電流Ｉ０の大きさが第一閾値よりも大きく第二閾値よりも小さい範囲である。なお、第二閾値は、第一閾値よりも大きい。範囲Ｚ２では、第一発光素子列ＬＥＤＧ１及び第二発光素子列ＬＥＤＧ２の両方が点灯している。
【００６２】
このとき、（Ｒ０＋Ｒ１）×Ｉ０＞Ｖｒｅｆ＞Ｒ０×Ｉ０となることから、第二閾値は、Ｖｒｅｆ／Ｒ０となる。範囲Ｚ２において、電流調整回路１０Ａは、定電流Ｉ０が大きくなるほど、電流Ｉ１が小さく、電流Ｉ２が大きくなるように、第一発光素子列ＬＥＤＧ１に流れる電流の大きさを制御する。
【００６３】
範囲Ｚ２では、オペアンプＯＰ１のマイナス側入力端子の電圧Ｖ１−とプラス側入力端子の電圧Ｖｒｅｆとの差が比較的小さくなるため、オペアンプＯＰ１の出力電圧は小さくなる。このため、トランジスタＱ１は、飽和領域で動作する（いわゆる可変抵抗素子として動作する）。
【００６４】
具体的には、オペアンプＯＰ１は、基準電圧Ｖｒｅｆが電圧Ｖ１−よりも大きい場合において、基準電圧Ｖｒｅｆと電圧Ｖ１−との差が大きいほど、出力電圧の大きさが大きくなる。ここで、電圧Ｖ１−は、Ｒ１×Ｉ１＋Ｒ０×Ｉ０で表わされる。
【００６５】
電流Ｉ１が小さいほど、抵抗素子Ｒｄ０及びＲｄ１における電圧降下が小さくなり、基準電圧Ｖｒｅｆと電圧Ｖ１−との差が大きくなる。そうすると、オペアンプＯＰ１の出力電圧、つまり、トランジスタＱ１のゲート端子の電圧は大きくなる。トランジスタＱ１のゲート端子の電圧が大きくなると、トランジスタＱ１の抵抗値が小さくなり、電流Ｉ１は大きくなる。
【００６６】
電流Ｉ１が大きいほど、抵抗素子Ｒｄ０及びＲｄ１における電圧降下が大きくなり、基準電圧Ｖｒｅｆと電圧Ｖ１−との差が小さくなる。そうすると、オペアンプＯＰ１の出力電圧、つまり、トランジスタＱ１のゲート端子の電圧は小さくなる。トランジスタＱ１のゲート端子の電圧が小さくなると、トランジスタＱ１の抵抗値が大きくなり、電流Ｉ１は小さくなる。
【００６７】
つまり、範囲Ｚ２では、電流調整回路１０Ａは、電圧Ｖ１−が基準電圧Ｖｒｅｆになるように、トランジスタＱ１のゲート電圧を調整する。言い換えると、電流調整回路１０Ａは、第一発光素子列ＬＥＤＧ１に流れる電流Ｉ１が、以下の式１に示す値になるようにトランジスタＱ１のゲート電圧を調整する。
【００６８】
Ｉ１＝（Ｖｒｅｆ−Ｒ０×Ｉ０）／Ｒ１・・・（式１）
【００６９】
なお、上述のとおり第二閾値は、Ｖｒｅｆ／Ｒ０であるため、関係調整回路によって、Ｖｒｅｆを調整することによって、第二閾値を調整することができる。
【００７０】
（３）範囲Ｚ３
範囲Ｚ３は、定電流Ｉ０の大きさが第二閾値以上となる範囲である。範囲Ｚ３では、第一発光素子列ＬＥＤＧ１が消灯し、第二発光素子列ＬＥＤＧ２が点灯している。
【００７１】
このとき、Ｒ０×Ｉ０≧Ｖｒｅｆとなることから、第二閾値は、Ｖｒｅｆ／Ｒ０となる。範囲Ｚ３では、電流調整回路１０Ａは、第一発光素子列ＬＥＤＧ１に流れる電流の大きさを０にする。
【００７２】
範囲Ｚ３では、定電流検出回路である抵抗素子Ｒｄ０における電圧降下が、基準電圧Ｖｒｅｆ以上となる。このとき、オペアンプＯＰ１では、プラス側入力端子の電圧（基準電圧Ｖｒｅｆ）がマイナス側入力端子の電圧Ｖ１−よりも小さくなり、オペアンプＯＰ１の出力電圧はＬレベルに固定される。そのため、トランジスタＱ１はオフ状態になり、第一発光素子列ＬＥＤＧ１の電流Ｉ１が０になる。
【００７３】
図４は、本実施の形態に係る発光装置１Ａの色温度と照度との関係を示すグラフである。
【００７４】
図４に示されるように、本実施の形態に係る発光装置１Ａは、照度が低い間は、色温度が低く、赤色により近い色の照明となる。発光装置１Ａは、照度が高くなるにつれて、色温度が高く、寒色系の色により近い色の照明となる。
【００７５】
［１−３．発光装置の調整方法］
本実施の形態に係る照明器具２Ａの関係調整回路を用いた調整方法について図面を用いて説明する。
【００７６】
まず、関係調整回路による調整を行わない場合に起こり得る問題について説明する。
【００７７】
図５は、本実施の形態に係る調光ＬＥＤドライバ３０の調光レベルと出力電流との関係の概要を示すグラフである。
【００７８】
図５の実線のグラフに示されるように、調光ＬＥＤドライバ３０の出力電流は、調光レベルの増加に応じて単調に増加する。調光ＬＥＤドライバ３０においては、その内部回路を構成する素子の特性の個体差などに起因して、その出力特性に個体差が生じ得る。そのため、図５の点線のグラフで示されるように、複数の調光ＬＥＤドライバ３０を用いる場合には、調光レベルと出力電流との関係にばらつきが生じ得る。
【００７９】
この場合に生じ得る問題について、図面を用いて説明する。
【００８０】
図６は、本実施の形態に係る照明器具２ＡＡ及び２ＡＢの使用態様の一例を示す概略回路図である。
【００８１】
図６に示されるように、一つの調光器４０によって、二つの本実施の形態に係る照明器具２ＡＡ及び２ＡＢを調光する場合について説明する。ここで、上述したように、照明器具２ＡＡ及び２ＡＢがそれぞれ備える調光ＬＥＤドライバ３０Ａ及び３０Ｂの出力特性が互いに異なり得る。このように、調光ＬＥＤドライバ３０Ａ及び３０Ｂの出力特性が互いに異なる場合における照明器具２ＡＡ及び２ＡＢの各発光素子列に流れる電流について、図面を用いて説明する。
【００８２】
図７は、本実施の形態に係る関係調整回路を用いて調整を行う前の照明器具２ＡＡ及び２ＡＢの各発光素子列に流れる電流及び定電流Ｉ０と調光レベルとの関係の一例を示すグラフである。図７のグラフの横軸が調光レベルを表し、縦軸が電流を表す。図７においては、照明器具２ＡＡの第一発光素子列ＬＥＤＧ１に流れる電流Ｉ１Ａ、及び、第二発光素子列ＬＥＤＧ２に流れる電流Ｉ２Ａが、それぞれ細い実線及び細い破線で示されている。また、照明器具２ＡＡの定電流Ｉ０Ａが細い点線で示されている。また、照明器具２ＡＢの第一発光素子列ＬＥＤＧ１に流れる電流Ｉ１Ｂ、及び、第二発光素子列ＬＥＤＧ２に流れる電流Ｉ２Ｂが、それぞれ太い実線及び太い破線で示されている。また、照明器具２ＡＢの定電流Ｉ０Ｂが太い点線で示されている。
【００８３】
図７に示される例では、調光ＬＥＤドライバ３０Ａでは、調光レベルが１００％である場合に対応する定電流Ｉ０Ａが２００ｍＡであるのに対して、調光ＬＥＤドライバ３０Ｂでは、調光レベルが１００％である場合に対応する定電流Ｉ０Ｂが２１０ｍＡである。これにより、照明器具２ＡＡと照明器具２ＡＢとでは、同じ調光レベルに対する各発光素子列に流れる電流が異なる。例えば、図７に示されるように調光レベルが５０％以下の範囲では、照明器具２ＡＡの定電流Ｉ０Ａ及び第一発光素子列ＬＥＤＧ１に流れる電流Ｉ１Ａは、それぞれ照明器具２ＡＢの定電流Ｉ０Ｂ及び第一発光素子列ＬＥＤＧ１に流れる電流Ｉ１Ｂより小さい。これに伴い、電流調整回路１０Ａの調整結果として調光レベルに対する第一発光素子列ＬＥＤＧ１に流れる電流の大きさの関係が変化することとなる変化点が、照明器具２ＡＡと照明器具２ＡＢとの間で異なる。ここで当該変化点は、図７に示す例では、調光レベルに対する第一発光素子列ＬＥＤＧ１に流れる電流の大きさの変化率が、変化する点である。例えば、照明器具２ＡＡの変化点の一つである当該変化率が正から負に変化する点における調光レベルが約５２％程度であるのに対して、照明器具２ＡＢの当該変化点における調光レベルは約４９％である。当該変化点は、上述の第一閾値及び第二閾値に対応する。
【００８４】
ここで、図７に示される例における、各発光素子列に流れる電流の大きさの定電流Ｉ０の大きさに対する比について説明する。
【００８５】
図８は、本実施の形態に係る関係調整回路を用いて調整を行う前の照明器具２ＡＡ及び２ＡＢの各発光素子列に流れる電流の大きさの定電流の大きさに対する比と、調光レベルとの関係を示すグラフである。図８の横軸が調光レベルを表し、縦軸が当該比を表す。図８には、照明器具２ＡＡの第一発光素子列ＬＥＤＧ１に流れる電流Ｉ１Ａの大きさの定電流Ｉ０Ａの大きさに対する比と、照明器具２ＡＢの第一発光素子列ＬＥＤＧ１に流れる電流Ｉ１Ｂの大きさの定電流Ｉ０Ｂの大きさに対する比との差も示されている。
【００８６】
図８に示されるように、例えば、各照明器具の第一発光素子列ＬＥＤＧ１に流れる電流の大きさの定電流の大きさに対する比と、調光レベルとの関係は異なる。図８に示される例では、当該比は、照明器具間で１１．７％異なる。つまり、色温度が２７００Ｋの第一発光素子列ＬＥＤＧ１に流れる電流と、色温度が５０００Ｋの第二発光素子列ＬＥＤＧ２に流れる電流との比が照明器具間で異なる。したがって、照明器具２ＡＡ及び照明器具２ＡＢは、互いに異なる色温度の光を出射する。このため、二つの照明器具２ＡＡ及び２ＡＢから、同一の色温度の光を得ることができない場合がある。
【００８７】
そこで、本実施の形態に係る発光装置１Ａは、調光レベルに対する第一発光素子列ＬＥＤＧ１に流れる電流の大きさの関係が変化する変化点における調光レベルを調整する関係調整回路を備える。以下、関係調整回路を用いた調整方法について説明する。
【００８８】
一例として、図６〜図８に示される例の照明器具２ＡＢにおいて、関係調整回路を用いて、調光レベルに対する第一発光素子列ＬＥＤＧ１に流れる電流の大きさの関係が変化する変化点における調光レベルを調整する方法について図面を用いて説明する。
【００８９】
図９は、本実施の形態に係る発光装置１Ａの調整方法を示すフローチャートである。
【００９０】
図９に示されるように、まず、調光レベルが所定の値である場合に対応する定電流Ｉ０を光源部２０Ａに供給する（Ｓ１０）。例えば、照明器具２ＡＡにおいて、第一発光素子列ＬＥＤＧ１に流れる電流の大きさと第二発光素子列ＬＥＤＧ２に流れる電流の大きさが等しくなる調光レベルに設定する。図７及び図８に示される例では、照明器具２ＡＡの各発光素子列に流れる電流の大きさが等しくなる約６５％の調光レベルに調光器４０を設定する。
【００９１】
次に、各発光素子列に流れる電流の大きさを検出する（Ｓ１２）。ここで、電流の検出は、必ずしも、第一発光素子列ＬＥＤＧ１に流れる電流と第二発光素子列ＬＥＤＧ２に流れる電流とを直接検出しなくてもよい。例えば、第一発光素子列ＬＥＤＧ１に流れる電流の大きさと、定電流Ｉ０Ｂの大きさとを検出して、定電流Ｉ０Ｂの大きさから第一発光素子列ＬＥＤＧ１に流れる電流の大きさを減算することによって、第二発光素子列ＬＥＤＧ２に流れる電流の大きさを検出してもよい。また、電流の大きさそのものでなくてもよい。例えば、抵抗素子Ｒｄ０及びＲｄ１における電圧降下を検出してもよい。
【００９２】
次に、検出した各電流の大きさが所定の値であるかを判断する（Ｓ１４）。例えば、第一発光素子列ＬＥＤＧ１に流れる電流と第二発光素子列ＬＥＤＧ２に流れる電流とが等しいか否かを判断する。
【００９３】
ここで、検出した各電流の大きさが所定の値である場合（Ｓ１４でＹＥＳ）、調整が完了したと判断して（又は調整が不要と判断して）調整を終了する。
【００９４】
一方、検出した各電流の大きさが所定の値でない場合（Ｓ１４でＮＯ）、関係調整回路を用いて、調光レベルに対する第一発光素子列ＬＥＤＧ１に流れる電流の大きさの関係が変化することとなる変化点における調光レベルを調整する（Ｓ１６）。
【００９５】
具体的には、例えば、調光レベルが約６５％に設定される場合、照明器具２ＡＢでは、第一発光素子列ＬＥＤＧ１に流れる電流の大きさの方が、第二発光素子列ＬＥＤＧ２に流れる電流の大きさより小さい。この場合は、第一発光素子列ＬＥＤＧ１に流れる電流の大きさを増大させるために、関係調整回路である可変抵抗素子Ｒｉの抵抗値を増大させる。これにより、基準電圧Ｖｒｅｆが増大させることができるため、変化点における調光レベルを増大させることができる。これに伴い、調光レベルが約６５％の場合における第一発光素子列ＬＥＤＧ１に流れる電流の大きさを増大させることができる。
【００９６】
続いて、再度図９のステップ１２に戻る。そして、調整が完了したと判断されるまで、ステップ１２からステップＳ１６までを繰り返す。
【００９７】
以上のように関係調整回路を用いて調整を行うことにより、照明器具２ＡＡ及び照明器具２ＡＢの当該変化点における調光レベルを揃えることができる。
【００９８】
ここで、関係調整回路を用いて調整することによって、照明器具２ＡＡ及び照明器具２ＡＢの当該変化点における調光レベルを揃えた場合における、照明器具２ＡＡ及び照明器具２ＡＢの特性について図面を用いて説明する。
【００９９】
図１０は、本実施の形態に係る関係調整回路を用いて調整を行った後の照明器具２ＡＡ及び２ＡＢの各発光素子列に流れる電流及び定電流と調光レベルの関係の一例を示すグラフである。図１０のグラフの横軸が調光レベルを表し、縦軸が電流を表す。
【０１００】
図１１は、本実施の形態に係る関係調整回路を用いて調整を行った後の照明器具２ＡＡ及び２ＡＢの各発光素子列に流れる電流の大きさの定電流の大きさに対する比と、調光レベルとの関係を示すグラフである。図１１の横軸が調光レベルを表し、縦軸が当該比を表す。図１１には、照明器具２ＡＡの第一発光素子列ＬＥＤＧ１に流れる電流Ｉ１Ａの大きさの定電流Ｉ０Ａの大きさに対する比と、照明器具２ＡＢの第一発光素子列ＬＥＤＧ１に流れる電流Ｉ１Ｂの大きさの定電流Ｉ０Ｂの大きさに対する比との差も示されている。
【０１０１】
図１０に示されるように、関係調整回路を用いて当該変化点における調光レベルを調整することによって、調光レベルに対する第一発光素子列ＬＥＤＧ１に流れる電流の大きさの関係が変化する変化点における調光レベルが照明器具２ＡＡ及び２ＡＢともに約５２％となるように調整されている。これにより、図１１に示されるように、各照明器具の第一発光素子列ＬＥＤＧ１に流れる電流の大きさと定電流の大きさとの比と、調光レベルとの関係がほぼ等しくなる。また、照明器具２ＡＡの第一発光素子列ＬＥＤＧ１に流れる電流Ｉ１Ａの大きさの定電流Ｉ０Ａの大きさに対する比と、照明器具２ＡＢの第一発光素子列ＬＥＤＧ１に流れる電流Ｉ１Ｂの大きさの定電流Ｉ０Ｂの大きさに対する比との差も全調光レベルにおいてほぼゼロとなる。
【０１０２】
以上のように、本実施の形態に係る照明器具２Ａによれば、関係調整回路を用いて当該変化点における調光レベルを調整することができる。これにより、照明器具２Ａの調光レベルに対する電流特性を所定の特性に調整することができる。このため、複数の照明器具２Ａを一つの調光器４０を用いて調光する場合に、複数の照明器具２Ａにおける色温度、配光性などのずれを抑制することができる。
【０１０３】
［１−４．効果等］
以上のように、本実施の形態に係る発光装置１Ａは、１以上の第一発光素子が直列に接続される第一発光素子列ＬＥＤＧ１、及び、第一発光素子列ＬＥＤＧ１に並列に接続され、１以上の第二発光素子が直列に接続される第二発光素子列ＬＥＤＧ２を備え、定電流Ｉ０が供給される光源部２０Ａを備える。また、発光装置１Ａは、第一発光素子列ＬＥＤＧ１に直列に接続され、第一発光素子列ＬＥＤＧ１に流れる電流の大きさを検出する第一検出回路をさらに備える。また、発光装置１Ａは、第一検出回路において検出された電流の大きさに基づいて、定電流Ｉ０の大きさに対する第一発光素子列ＬＥＤＧ１に流れる電流の大きさの関係を調整する電流調整回路１０Ａをさらに備える、また、発光装置１Ａは、電流調整回路１０Ａの調整結果として調光レベルに対する第一発光素子列ＬＥＤＧ１に流れる電流の大きさの関係が変化することとなる変化点における調光レベルを調整する関係調整回路とを備える。
【０１０４】
これにより、関係調整回路を用いて変化点における調光レベルを調整することで、調光レベルと各発光素子列に流れる電流との関係を調整できる。このため、調光ＬＥＤドライバ３０の特性の個体差に起因する発光装置１Ａの特性のずれを抑制することができる。
【０１０５】
また、発光装置１Ａにおいて、変化点は、調光レベルに対する第一発光素子列に流れる電流の大きさの変化率が変化する点であってもよい。
【０１０６】
また、発光装置１Ａにおいて、第一発光素子列ＬＥＤＧ１の発光色は、第二発光素子列ＬＥＤＧ２の発光色と異なってもよい。
【０１０７】
これにより、調光レベルと発光装置１Ａの発光色との関係を調整することができる。また、各々が発光装置１Ａと調光ＬＥＤドライバ３０とを備える複数の照明器具２Ａを一つの調光器４０を用いて調光する場合に、各照明器具における調光レベルと発光色との関係を揃えることができる。
【０１０８】
また、発光装置１Ａにおいて、第一発光素子列ＬＥＤＧ１に属する１以上の第一発光素子の各々の順電圧の和より、第二発光素子列ＬＥＤＧ２に属する１以上の第二発光素子の各々の順電圧の和の方が大きくてもよい。
【０１０９】
また、発光装置１Ａにおいて、電流調整回路１０Ａは、第一検出回路において検出された電流の大きさと基準値とを比較し、当該比較の結果に基づいて調光レベルに対する第一発光素子列ＬＥＤＧ１に流れる電流の大きさの関係を調整してもよい。
【０１１０】
また、発光装置１Ａにおいて、第一検出回路は、第一発光素子列ＬＥＤＧ１に直列接続された抵抗素子であってもよい。また、電流調整回路１０Ａは、第一発光素子列ＬＥＤＧ１に流れる電流を調整するトランジスタＱ１と、第一検出回路での電圧降下と基準値とを比較し、当該比較の結果に応じた電圧をトランジスタＱ１の制御端子に印加する比較演算増幅回路とを有してもよい。
【０１１１】
また、発光装置１Ａにおいて、関係調整回路は、基準値を調整することによって、変化点における調光レベルを調整してもよい。
【０１１２】
また、発光装置１Ａにおいて、関係調整回路は、基準値を調整する可変抵抗素子Ｒｉであってもよい。
【０１１３】
これにより、簡素化された構成で、関係調整回路を実現することができる。また、調整においてユーザが容易に操作を行うことができる。
【０１１４】
また、発光装置１Ａにおいて、第一発光素子列ＬＥＤＧ１、第二発光素子列ＬＥＤＧ２、第一検出回路、電流調整回路１０Ａ及び関係調整回路は、同一の基台２２上に実装されている。
【０１１５】
これにより、発光装置１Ａを一体化し、かつ、各回路などを電気的に接続できる。
【０１１６】
また、照明器具２Ａは、発光装置１Ａと定電流源とを備える。
【０１１７】
これにより、照明器具２Ａは、発光装置１Ａと同様の効果を奏することができる。
【０１１８】
また、本実施の形態に係る発光装置１Ａの調整方法は、電流調整回路１０Ａの調整結果として調光レベルに対する第一発光素子列ＬＥＤＧ１に流れる電流の大きさの関係が変化することとなる変化点における調光レベルを調整する。
【０１１９】
これにより、調光レベルと発光装置１Ａの発光色との関係を調整することができる。また、各々が発光装置１Ａと調光ＬＥＤドライバ３０とを備える複数の照明器具２Ａを一つの調光器４０を用いて調光する場合に、各照明器具における調光レベルと発光色との関係を揃えることができる。
【０１２０】
（実施の形態２）
実施の形態２に係る照明器具について説明する。
【０１２１】
実施の形態１では、照明器具２Ａの調光ＬＥＤドライバ３０は、調光器４０から調光信号が入力されたが、本実施の形態に係る照明器具の調光ＬＥＤドライバは、位相調光器から、位相制御された交流電力が入力される。以下、本実施の形態に係る照明器具の、実施の形態１に係る照明器具２Ａとの相違点を中心に説明する。
【０１２２】
［２−１．構成］
本実施の形態に係る照明器具の構成について図面を用いて説明する。
【０１２３】
図１２は、本実施の形態に係る照明器具１０２の概略構成を示す回路図である。図１２には、照明器具１０２とともに、交流電源５０及び調光器１４０も示される。
【０１２４】
図１２に示される調光器１４０は、交流電力の位相制御を行うことによって調光する位相調光器である。調光器１４０は、照明コントローラ（不図示）からの制御信号に応じて、照明器具１０２に入力させる交流電圧の位相（ＯＮ位相）の範囲を調整する。照明コントローラでは、調光レベルを複数段階に操作でき、ユーザにより操作されたときに変更後の調光レベルを示す制御信号を調光器１４０に出力する。調光器１４０は、当該制御信号に応じて上述したＯＮ位相の範囲を調整する。つまり、ＯＮ位相の範囲は、調光レベルに対応する。
【０１２５】
図１２に示されるように、本実施の形態に係る照明器具１０２は、調光ＬＥＤドライバ１３０と、実施の形態１に係る発光装置１Ａとを備える。
【０１２６】
調光ＬＥＤドライバ１３０は、実施の形態１に係る調光ＬＥＤドライバ３０と同様に、発光装置１Ａに定電流Ｉ０を供給する定電流源である。図１２に示されるように、調光ＬＥＤドライバ３０は、位相検出回路３１を備える。位相検出回路３１は、調光器１４０によって制御される交流電圧のＯＮ位相の範囲を示す角度（以下、「ＯＮ位相角度」ともいう。）を検出する検出回路である。調光ＬＥＤドライバ１３０は、位相検出回路３１によって検出された検出角に基づいて定電流Ｉ０を調整する。本実施の形態では、調光ＬＥＤドライバ１３０には、調光器１４０から位相制御された交流電圧が印加される。調光器１４０によって制御される交流電圧のＯＮ位相角度が大きいほど、調光ＬＥＤドライバ１３０から出力される定電流Ｉ０の大きさは大きくなる。
【０１２７】
本実施の形態に係る調光ＬＥＤドライバ１３０においては、実施の形態１に係る調光ＬＥＤドライバ３０と同様に、その内部回路を構成する素子の特性の個体差などに起因して、その出力特性に個体差が生じ得る。さらに、調光ＬＥＤドライバ１３０においては、位相検出回路３１における検出角の個体差に起因する出力特性の個体差も生じ得る。しかしながら、本実施の形態に係る発光装置１Ａの関係調整回路を用いることにより、上記検出角の個体差に起因する出力特性の個体差も抑制することができる。
【０１２８】
［２−２．使用態様］
本実施の形態に係る照明器具の使用態様について図面を用いて説明する。
【０１２９】
図１３は、本実施の形態に係る照明器具１０２Ａ及び１０２Ｂの使用態様の一例を示す概略回路図である。
【０１３０】
図１３に示されるように、一つの調光器１４０によって、二つの本実施の形態に係る照明器具１０２Ａ及び１０２Ｂを調光する場合について説明する。ここで、上述したように、照明器具１０２Ａ及び１０２Ｂがそれぞれ備える調光ＬＥＤドライバ１３０Ａ及び１３０Ｂの出力特性が互いに異なり得る。このように、調光ＬＥＤドライバ１３０Ａ及び１３０Ｂの出力特性が互いに異なる場合における照明器具１０２Ａ及び１０２Ｂの各発光素子列に流れる電流について、図面を用いて説明する。
【０１３１】
図１４は、本実施の形態に係る関係調整回路を用いて調整を行う前の照明器具１０２Ａ及び１０２Ｂの各発光素子列に流れる電流及び定電流と調光器１４０のＯＮ位相角度との関係の一例を示すグラフである。図１４のグラフの横軸がＯＮ位相角度を表し、縦軸が電流を表す。図１４においては、照明器具１０２Ａの第一発光素子列ＬＥＤＧ１に流れる電流Ｉ１Ａ、及び、第二発光素子列ＬＥＤＧ２に流れる電流Ｉ２Ａが、それぞれ細い実線及び細い破線で示されている。また、照明器具１０２Ａの定電流Ｉ０Ａが細い点線で示されている。また、照明器具１０２Ｂの第一発光素子列ＬＥＤＧ１に流れる電流Ｉ１Ｂ、及び、第二発光素子列ＬＥＤＧ２に流れる電流Ｉ２Ｂが、それぞれ太い実線及び太い破線で示されている。また、照明器具１０２Ｂの定電流Ｉ０Ｂが太い点線で示されている。
【０１３２】
図１３に示される使用態様においては、照明器具１０２Ａ及び１０２Ｂに実質的に同一の交流電力が供給される。しかしながら、照明器具１０２Ａ及び１０２Ｂがそれぞれ備える位相検出回路３１Ａ及び３１Ｂの間で、検出角に個体差がある場合には、図１４に示されるように、各発光素子列に流れる電流と検出角との関係にずれが生じる。図１４に示される例では、照明器具１０２Ｂにおける各電流を示すグラフが、照明器具１０２Ａにおける各電流を示すグラフと比べて、約３度左側にシフトしている。これは、照明器具１０２Ｂの位相検出回路３１Ｂの検出角が、照明器具１０２Ａの位相検出回路３１Ａの検出角と比べて約３度ずれていることに起因する。これに伴い、照明器具１０２Ｂにおいては、電流調整回路１０Ａの調整結果として調光器１４０のＯＮ位相角度に対する第一発光素子列ＬＥＤＧ１に流れる電流Ｉ１Ｂの大きさの関係が変化することとなる変化点におけるＯＮ位相角度が、照明器具１０２Ａの変化点におけるＯＮ位相角度より約３度ずれる。
【０１３３】
ここで、図１４に示される例における、各発光素子列に流れる電流の大きさの定電流の大きさに対する比について説明する。
【０１３４】
図１５は、本実施の形態に係る関係調整回路を用いて調整を行う前の照明器具１０２Ａ及び１０２Ｂの各発光素子列に流れる電流の大きさの定電流の大きさに対する比と、調光器１４０のＯＮ位相角度との関係を示すグラフである。図１５の横軸がＯＮ位相角度を表し、縦軸が当該比を表す。図１５には、照明器具１０２Ａの第一発光素子列ＬＥＤＧ１に流れる電流Ｉ１Ａの大きさの定電流Ｉ０Ａの大きさに対する比と、照明器具１０２Ｂの第一発光素子列ＬＥＤＧ１に流れる電流Ｉ１Ｂの大きさの定電流Ｉ０Ｂの大きさに対する比との差も示されている。
【０１３５】
図１５に示されるように、例えば、各照明器具の第一発光素子列ＬＥＤＧ１に流れる電流の大きさの定電流の大きさに対する比と、ＯＮ位相角度（つまり、調光レベル）との関係は互いに異なる。図１５に示される例では、当該比は、照明器具間で１９．９％異なる。したがって、本実施の形態においても、関係調整回路を用いて調整しない場合には、二つの照明器具１０２Ａ及び１０２Ｂから、同一の色温度の光を得ることができない場合がある。
【０１３６】
ここで、本実施の形態においても、実施の形態１と同様に、発光装置１Ａの関係調整回路を用いてＯＮ位相角度（調光レベル）に対する第一発光素子列ＬＥＤＧ１に流れる電流の大きさの関係が変化する変化点における調光レベルを調整することができる。
【０１３７】
関係調整回路を用いて調整することによって、照明器具１０２Ａ及び照明器具１０２Ｂの当該変化点におけるＯＮ位相角度を揃えた場合における、照明器具１０２Ａ及び照明器具１０２Ｂの特性について図面を用いて説明する。
【０１３８】
図１６は、本実施の形態に係る関係調整回路を用いて調整を行った後の照明器具１０２Ａ及び１０２Ｂの各発光素子列に流れる電流及び定電流と調光器１４０のＯＮ位相角度との関係の一例を示すグラフである。図１６のグラフの横軸がＯＮ位相角度を表し、縦軸が電流を表す。
【０１３９】
図１７は、本実施の形態に係る関係調整回路を用いて調整を行った後の照明器具１０２Ａ及び１０２Ｂの各発光素子列に流れる電流の大きさの定電流の大きさに対する比と、調光器１４０のＯＮ位相角度との関係を示すグラフである。図１７の横軸がＯＮ位相角度を表し、縦軸が当該比を表す。図１７には、照明器具１０２Ａの第一発光素子列ＬＥＤＧ１に流れる電流Ｉ１Ａの大きさの定電流Ｉ０Ａの大きさに対する比と、照明器具１０２Ｂの第一発光素子列ＬＥＤＧ１に流れる電流Ｉ１Ｂの大きさの定電流Ｉ０Ｂの大きさに対する比との差も示されている。
【０１４０】
図１６に示されるように、関係調整回路を用いて当該変化点におけるＯＮ位相角度を調整することによって、ＯＮ位相角度に対する第一発光素子列ＬＥＤＧ１に流れる電流の大きさの関係が変化する変化点におけるＯＮ位相角度が照明器具１０２Ａ及び１０２Ｂともに約５１％となるように調整されている。これにより、図１７に示されるように、各照明器具の第一発光素子列ＬＥＤＧ１に流れる電流の大きさの定電流の大きさに対する比と、調光レベルとの関係のずれが低減される。また、照明器具１０２Ａの第一発光素子列ＬＥＤＧ１に流れる電流Ｉ１Ａの大きさの定電流Ｉ０Ａの大きさに対する比と、照明器具１０２Ｂの第一発光素子列ＬＥＤＧ１に流れる電流Ｉ１Ｂの大きさの定電流Ｉ０Ｂの大きさに対する比との差も約３．０％以下となる。
【０１４１】
以上のように、本実施の形態に係る照明器具１０２においても、実施の形態１に係る照明器具２Ａと同様の効果を奏することができる。
【０１４２】
［２−３．効果など］
以上のように本実施の形態に係る照明器具１０２において、定電流源は、位相変調器を介して交流電力が供給される調光ＬＥＤドライバ３０である。
【０１４３】
この場合にも、調光ＬＥＤドライバ３０の位相検出回路３１における検出角に個体差が生じ得る。しかしながら、本実施の形態に係る照明器具１０２においては、関係調整回路を用いて調整することによって、当該個体差に起因する発光装置１Ａの特性のずれを抑制することができる。
【０１４４】
（実施の形態３）
実施の形態３に係る発光装置、当該発光装置を備える照明器具、及び、当該発光装置の調整方法について説明する。
【０１４５】
実施の形態１に係る発光装置１Ａでは、関係調整回路を用いて調整する際に、例えば、第一発光素子列ＬＥＤＧ１及び第二発光素子列ＬＥＤＧ２に流れる電流など、二つの検出値が必要である。本実施の形態では、一つの検出値を検出するだけで調整を行うことができる発光装置について説明する。以下、本実施の形態に係る発光装置について、実施の形態１に係る発光装置１Ａとの相違点を中心に説明する。
【０１４６】
［３−１．照明器具の構成］
実施の形態３に係る発光装置及び照明器具の構成について図面を用いて説明する。
【０１４７】
図１８は、本実施の形態に係る照明器具２Ｂの回路構成の一例を示す回路図である。
【０１４８】
図１８に示されるように、照明器具２Ｂは、調光ＬＥＤドライバ３０と、発光装置１Ｂとを備える。
【０１４９】
発光装置１Ｂは、第二発光素子列ＬＥＤＧ２に直列に抵抗素子Ｒｄ２が接続されている点において、実施の形態１に係る発光装置１Ａと相違し、その他の点において一致する。
【０１５０】
抵抗素子Ｒｄ２は、第二発光素子列ＬＥＤＧ２に流れる電流を検出するための第二検出回路である。抵抗素子Ｒｄ２は、発光装置１Ａの関係調整回路を用いて調整する際に用いられる。抵抗素子Ｒｄ２の利用方法については、後述する。
【０１５１】
［３−２．発光装置の調整方法］
本実施の形態に係る発光装置１Ｂの調整方法について図面を用いて説明する。
【０１５２】
図１９は、本実施の形態に係る発光装置１Ｂの調整方法を示すフローチャートである。
【０１５３】
図１９に示されるように、まず、第二発光素子列ＬＥＤＧ２に流れる電流を検出する第二検出回路を第二発光素子列ＬＥＤＧ２に直列に接続する（Ｓ２０）。本実施の形態では、第二発光素子列ＬＥＤＧ２のカソード端子とノードＮ２との間に第二検出回路として抵抗素子Ｒｄ２を接続する。なお、抵抗素子Ｒｄ１（第一検出回路）及び抵抗素子Ｒｄ２（第二検出回路）の各抵抗値をそれぞれＲＤ１及びＲＤ２とする。
【０１５４】
次に、調光レベルが所定の値である場合に対応する定電流Ｉ０を光源部２０Ａに供給する（Ｓ２２）。本実施の形態では、発光装置１Ｂにおける調整の目標となる特性を定める。例えば、当該目標となる特性として、調光レベルと各発光素子列に流れる電流の大きさとの関係を定める。そして、当該目標となる特性において、第一発光素子列ＬＥＤＧ１に流れる電流Ｉ１の大きさと第二発光素子列ＬＥＤＧ２に流れる電流Ｉ２の大きさとの比が、所定の値となるような調光レベルに対応する定電流Ｉ０を光源部２０Ａに供給する。ここでは、上記目標となる特性において、第一発光素子列ＬＥＤＧ１及び第二発光素子列ＬＥＤＧ２にそれぞれ流れる電流Ｉ１及びＩ２について、Ｉ１：１２＝ＲＤ２：ＲＤ１が成り立つ場合の調光レベルに対応する定電流Ｉ０を光源部２０Ａに供給する。なお、上述のとおり、ＲＤ１及びＲＤ２は、それぞれ、抵抗素子Ｒｄ１（第一検出回路）及び抵抗素子Ｒｄ２（第二検出回路）の抵抗値である。
【０１５５】
次に、第一検出回路（抵抗素子Ｒｄ１）の一端と、第二検出回路（抵抗素子Ｒｄ２）の一端との電位差を検出する（Ｓ２４）。本実施の形態では、第一検出回路及び第二検出回路の高電位側の各端部間の電位差Ｖ１２を検出する。
【０１５６】
次に、検出された電位差Ｖ１２が所定の値以下であるかを判断する（Ｓ２６）。具体的には、電位差Ｖ１２が実質的にゼロとみなせる程度に小さい値であるかを判断する。当該所定の値は、抵抗素子Ｒｄ１及びＲｄ２の各抵抗値ＲＤ１及びＲＤ２、光源部２０Ａに供給される電流の大きさなどに基づいて適宜定められる。電位差Ｖ１２がゼロになる場合、抵抗値ＲＤ１と電流Ｉ１との積が、抵抗値ＲＤ２と電流Ｉ２との積が、等しくなる。つまり、Ｉ１：１２＝ＲＤ２：ＲＤ１が成り立つ。このため、電位差Ｖ１２がゼロになったことをもって、目標となる特性を得られたことを確認できる。
【０１５７】
検出された電位差Ｖ１２が所定の値以下である場合（Ｓ２６でＹＥＳ）、調整が完了したと判断して（又は調整が不要と判断して）調整を終了する。
【０１５８】
一方、検出された電位差Ｖ１２が所定の値以下でない場合（Ｓ２６でＮＯ）、関係調整回路を用いて、調光レベルに対する第一発光素子列ＬＥＤＧ１に流れる電流の大きさの関係が変化することとなる変化点における調光レベルを調整する（Ｓ２８）。ここで行う調整は、図９に示される実施の形態１に係る調整方法のステップＳ１６の調整と同様である。
【０１５９】
続いて、再度図１９のステップＳ２４に戻る。そして、調整が完了したと判断されるまで、ステップ２４からステップＳ２８までを繰り返す。
【０１６０】
以上のように関係調整回路を用いて調整を行うことにより、照明器具２Ｂの変化点における調光レベルを所望の値に調整することができる。なお、第二検出回路は、調整完了後に取り外し、第二検出回路が挿入されていた部分を短絡してもよい。これにより、第二検出回路における電力消費を削減することができる。
【０１６１】
［３−３．効果など］
以上のように、本実施の形態に係る発光装置１Ｂは、発光装置１Ａにおいて、第二発光素子列ＬＥＤＧ２に流れる電流を検出する第二検出回路をさらに備える。
【０１６２】
これにより、第二発光素子列ＬＥＤＧ２に流れる電流を検出することができる。
【０１６３】
また、本実施の形態に係る発光装置１Ｂの調整方法は、第二発光素子列ＬＥＤＧ２に流れる電流の大きさを検出する第二検出回路を第二発光素子列ＬＥＤＧ２に直列に接続し、調光レベルが所定の値である場合に対応する定電流Ｉ０を光源部２０Ａに供給する。さらに、第一検出回路において検出された電流の大きさ、及び、第二検出回路において検出された電流の大きさに基づいて、変化点における前記調光レベルを調整する。
【０１６４】
これにより、発光装置１Ｂの調光レベルと各発光素子列に流れる電流との関係を所望の関係に調整できる。
【０１６５】
また、本実施の形態に係る発光装置１Ｂの調整方法において、第一検出回路は、第一抵抗素子であり、第二検出回路は、第二抵抗素子であり、第一検出回路の一端と、第二検出回路の一端との電位差が所定の値以下となるように、変化点における調光レベルを調整する。
【０１６６】
これにより、各発光素子列に流れる電流を検出することなく、電位差Ｖ１２だけを検出しながら調整を行うことができる。このため、一つの電圧計だけを用いて、容易に調整を行うことができる。
【０１６７】
（実施の形態４）
実施の形態４に係る発光装置及び当該発光装置を備える照明器具について説明する。
【０１６８】
実施の形態１に係る発光装置１Ａでは、関係調整回路が基準電圧Ｖｒｅｆを定める分圧回路に設けられたが、本実施の形態では、関係調整回路が定電流検出回路に設けられる。以下、本実施の形態に係る発光装置について、実施の形態１に係る発光装置１Ａとの相違点を中心に説明する。
【０１６９】
［４−１．照明器具の構成］
実施の形態４に係る発光装置及び照明器具の構成について図面を用いて説明する。
【０１７０】
図２０は、本実施の形態に係る照明器具２Ｃの回路構成の一例を示す回路図である。
【０１７１】
図２０に示されるように、照明器具２Ｃは、調光ＬＥＤドライバ３０と、発光装置１Ｃとを備える。
【０１７２】
発光装置１Ｃは、主に、光源部２０Ａと、三端子レギュレータＶｒｅｇと、第一検出回路（抵抗素子Ｒｄ１）と、定電流検出回路（可変抵抗素子Ｒｄ）と、電流調整回路１０Ｃとを備える。発光装置１Ｃは、定電流検出回路において、可変抵抗素子Ｒｄが用いられており、可変抵抗素子Ｒｄが関係調整回路として用いられる点において、実施の形態１に係る発光装置１Ａと相違する。
【０１７３】
可変抵抗素子Ｒｄの抵抗値を変化させることにより、光源部２０Ａに印加される電圧が変化する。これに伴い、各発光素子列に流れる電流の大きさが変化するため、可変抵抗素子Ｒｄを関係調整回路として用いることができる。また、関係調整方法は、発光装置１Ａを用いる場合と同様であるため、説明を省略する。
【０１７４】
［４−２．効果など］
以上のように本実施の形態に係る発光装置１Ｃは、関係調整回路１０Ｃは、光源部２０Ａに直列接続された可変抵抗素子Ｒｄである。
【０１７５】
これにより、実施の形態１に係る発光装置１Ａと同様の効果を奏することができる。
【０１７６】
（実施の形態５）
実施の形態５に係る発光装置、当該発光装置を備える照明器具、及び、当該発光装置の調整方法について説明する。
【０１７７】
実施の形態１に係る発光装置１Ａでは、関係調整回路が可変抵抗素子Ｒｉであり、発光装置１Ａの調整は、ユーザによって手動で行われる。一方、本実施の形態に係る発光装置の調整は、関係調整回路によって自動的に行われる。以下、本実施の形態に係る発光装置について、実施の形態１に係る発光装置１Ａとの相違点を中心に説明する。
【０１７８】
［５−１．照明器具の構成］
本実施の形態に係る照明器具の構成について図面を用いて説明する。
【０１７９】
図２１は、本実施の形態に係る照明器具２Ｄの回路構成の一例を示す回路図である。
【０１８０】
図２１に示されるように、照明器具２Ｄは、調光ＬＥＤドライバ３０と、発光装置１Ｄとを備える。
【０１８１】
発光装置１Ｄは、主に、光源部２０Ａと、三端子レギュレータＶｒｅｇと、第一検出回路（抵抗素子Ｒｄ１）と、定電流検出回路（抵抗素子Ｒｄ０）と、電流調整回路１０Ｄと、関係調整回路（マイコンＭＣＵ）とを備える。発光装置１Ｄは、電流調整回路１０Ｄにおいて、マイコンＭＣＵからなる関係調整回路を用いて、基準電圧Ｖｒｅｆを調整する点において、実施の形態１に係る発光装置１Ａと相違する。
【０１８２】
電流調整回路１０Ｄは、図２１に示されるように、主に、マイコンＭＣＵと、分圧回路と、トランジスタＱ１と、比較演算増幅回路と、コンデンサＣ１とを備える。
【０１８３】
分圧回路は可変抵抗素子Ｒｉに代えて、抵抗素子Ｒｉ１を備える点において、実施の形態１に係る分圧回路と相違する。
【０１８４】
比較演算増幅回路及びコンデンサＣ１は、実施の形態１と同様の構成を有する。
【０１８５】
マイコンＭＣＵは、調光レベルが所定の値である場合に対応する定電流Ｉ０の大きさに基づいて、調光レベルに対する第一発光素子列ＬＥＤＧ１に流れる電流の大きさの関係が変化する変化点における調光レベルを調整する回路である。具体的には、マイコンＭＣＵは、調光レベルが所定の値である場合に対応する定電流Ｉ０の大きさに基づいて、基準電圧Ｖｒｅｆを調整するための補正信号を出力端子ＯＵＴから出力する。これにより、実施の形態１に係る発光装置１Ａと同様に、変化点における調光レベルを調整することができる。マイコンＭＣＵは演算を行うプロセッサなどを内部に備える（不図示）。マイコンＭＣＵにおける動作の詳細については後述する。
【０１８６】
マイコンＭＣＵは、調光レベルが所定の値である場合に対応する定電流Ｉ０の大きさに対応する値を記憶する記憶部１９を備える。本実施の形態では、記憶部１９は上記補正信号に対応する補正値を記憶する。記憶部１９は、メモリなどで構成される。
【０１８７】
マイコンＭＣＵは、電圧入力端子ＶＤＤ、リセット端子ＲＥＳＥＴ、出力端子ＯＵＴ、信号入力端子Ａ／Ｄ  ＩＮ及び接地端子ＧＮＤを備える。
【０１８８】
電圧入力端子ＶＤＤは、マイコンＭＣＵに直流電圧を印加するための端子である。
【０１８９】
リセット端子ＲＥＳＥＴは、マイコンＭＣＵにリセット信号を入力するための端子である。
【０１９０】
出力端子ＯＵＴは、マイコンＭＣＵから所定の電圧の信号を出力するための端子である。
【０１９１】
信号入力端子Ａ／Ｄ  ＩＮは、マイコンＭＣＵにアナログ信号を入力するための端子である。信号入力端子Ａ／Ｄ  ＩＮからマイコンＭＣＵに入力されたアナログ信号は、マイコンＭＣＵにおいてデジタル信号に変換される。
【０１９２】
接地端子ＧＮＤは、接地電位を入力するための端子である。
【０１９３】
また、電流調整回路１０Ｄは、マイコンＭＣＵの周辺に、抵抗素子Ｒｉ７、Ｒｉ８及びＲｉ９と、コンデンサＣ４及びＣ５と、プッシュスイッチＰＳとを備える。
【０１９４】
抵抗素子Ｒｉ７は、マイコンＭＣＵのリセット端子ＲＥＳＥＴに印加される電圧を適切な大きさに調整するための素子である。抵抗素子Ｒｉ７は、ノードＮ６とマイコンＭＣＵのリセット端子ＲＥＳＥＴとの間に接続される。
【０１９５】
抵抗素子Ｒｉ８及びＲｉ９は、マイコンＭＣＵの出力端子ＯＵＴから出力される電圧を分圧するための抵抗素子である。抵抗素子Ｒｉ８は、マイコンＭＣＵの出力端子ＯＵＴとノードＮ１０との間に接続される。抵抗素子Ｒｉ９は、ノードＮ１０とノードＮ７との間に接続される。
【０１９６】
コンデンサＣ４は、マイコンＭＣＵの信号入力端子Ａ／Ｄ  ＩＮに入力される電圧を平滑化するための容量素子であり、マイコンＭＣＵの信号入力端子Ａ／Ｄ  ＩＮと接地端子ＧＮＤとの間に接続される。
【０１９７】
コンデンサＣ５は、オペアンプＯＰ１の基準電圧Ｖｒｅｆを平滑化するための容量素子であり、ノードＮ１０とノードＮ５との間に接続される。
【０１９８】
プッシュスイッチＰＳは、マイコンＭＣＵのリセット端子ＲＥＳＥＴに信号を入力するためのスイッチである。プッシュスイッチＰＳは、マイコンＭＣＵのリセット端子ＲＥＳＥＴとノードＮ５との間に接続される。
【０１９９】
［５−２．発光装置の調整方法］
本実施の形態に係る発光装置１Ｄの調整方法について図面を用いて説明する。
【０２００】
図２２は、本実施の形態に係る発光装置１Ｄの調整方法を示すフローチャートである。
【０２０１】
図２２に示されるように、まず、マイコンＭＣＵは、リセット端子ＲＥＳＥＴからリセット信号が入力されたか否かを判断する（Ｓ３０）。
【０２０２】
リセット信号が入力されたと判断されなかった場合（Ｓ３０でＮＯ）、マイコンＭＣＵは、記憶部１９に記憶された補正値の有無を判断する（Ｓ３４）。
【０２０３】
リセット信号が入力されたと判断された場合（Ｓ３０でＹＥＳ）、マイコンＭＣＵは、記憶部１９に記憶された定電流Ｉ０の大きさに対応する値である補正値を消去した後（Ｓ３２）、記憶部１９に記憶された補正値の有無を判断する（Ｓ３４）。ここで、リセット信号は、ユーザがプッシュスイッチＰＳを押すことによって入力される。ユーザがプッシュスイッチＰＳを押す際に、調光ＬＥＤドライバ３０に入力される調光信号が所定の調光レベルに対応する信号に設定される。所定の調光レベルとして、例えば、１００％の調光レベルを採用することができる。
【０２０４】
補正値があると判断されなかった場合（Ｓ３４でＮＯ）、マイコンＭＣＵは、信号入力端子Ａ／Ｄ  ＩＮから入力される定電流Ｉ０の大きさを検出する（Ｓ３６）。ここで、上述のとおり、ここで入力される定電流Ｉ０は所定の調光レベルに対応する大きさを有することから、検出された定電流Ｉ０の大きさにより、調光ＬＥＤドライバ３０の特性に関する情報を得ることができる。続いて、検出された定電流Ｉ０の大きさに基づいて、調光ＬＥＤドライバ３０に対応する補正値を計算し（Ｓ３８）、記憶部１９において記憶する（Ｓ４０）。そして、当該補正値に対応する補正信号を出力端子ＯＵＴから出力する（Ｓ４２）。
【０２０５】
一方、ステップＳ３４において補正値があると判断された場合（Ｓ３４でＹＥＳ）、当該補正値に対応する補正信号を出力端子ＯＵＴから出力する（Ｓ４２）。これにより、基準電圧Ｖｒｅｆが適切な値に調整され、調光レベルと発光装置１Ｄの各発光素子列に流れる電流との関係を所定の関係に調整できる。
【０２０６】
［５−３．効果など］
以上のように本実施の形態に係る発光装置１Ｄは、関係調整回路は、調光レベルが所定の値である場合に対応する定電流Ｉ０の大きさに基づいて変化点における調光レベルを調整する。
【０２０７】
これにより、例えば、調整時に１００％の調光レベルにおいて、調光ＬＥＤドライバ３０から、定電流Ｉ０を出力し、当該定電流Ｉ０に基づいて、変化点における調光レベルを調整することができる。
【０２０８】
また、係る発光装置１Ｄにおいて、関係調整回路は、調光レベルが所定の値である場合に対応する定電流Ｉ０の大きさに対応する値を記憶する記憶部１９を備える。
【０２０９】
これにより、調整を行ったときの定電流Ｉ０の大きさを記憶できるため、再度の調整を行うことなく、適切な基準電圧ＶｒｅｆをオペアンプＯＰ１に入力することができる。
【０２１０】
以上のように本実施の形態に係る発光装置１Ｄの調整方法は、調光レベルが所定の値である場合に対応する定電流Ｉ０の大きさに基づいて、変化点における調光レベルを調整する。
【０２１１】
これにより、例えば、調整時に１００％の調光レベルにおいて、調光ＬＥＤドライバ３０から、定電流Ｉ０を出力し、当該定電流Ｉ０に基づいて、変化点における調光レベルを調整することができる。
【０２１２】
［実施の形態６］
実施の形態６に係る発光装置及び当該発光装置を備える照明器具について説明する。
【０２１３】
実施の形態１では、基準電圧Ｖｒｅｆが定電流Ｉ０に依存しない例について説明したが、本実施の形態では、基準電圧Ｖｒｅｆを定電流Ｉ０に応じて変化させる例について説明する。以下、本実施の形態に係る照明器具について、実施の形態１に係る照明器具２Ａとの相違点を中心に説明する。
【０２１４】
［６−１．照明器具の構成］
本実施の形態に係る照明器具の構成について図面を用いて説明する。
【０２１５】
図２３は、本実施の形態に係る照明器具２Ｅの回路構成の一例を示す回路図である。
【０２１６】
図２３に示されるように、照明器具２Ｅは、調光ＬＥＤドライバ３０と、発光装置１Ｅとを備える。
【０２１７】
発光装置１Ｅは、主に、光源部２０Ａと、三端子レギュレータＶｒｅｇと、第一検出回路（抵抗素子Ｒｄ１）と、定電流検出回路（抵抗素子Ｒｄ０）と、電流調整回路１０Ｅと、関係調整回路（可変抵抗素子Ｒｉ）とを備える。
【０２１８】
図２３に示される電流調整回路１０Ｅは、実施の形態１の電流調整回路１０Ａと、破線楕円１８で囲んだ部分において異なっている。
【０２１９】
電流調整回路１０Ｅは、実施の形態１の電流調整回路１０Ａに、オペアンプＯＰ２及び抵抗素子Ｒｉ４〜Ｒｉ６が追加された構成となっている。
【０２２０】
オペアンプＯＰ２は、基準値調整回路の一例であり、抵抗素子Ｒｄ０により検出された定電流Ｉ０に対応する電圧を増幅し、抵抗素子Ｒｉ４を介してオペアンプＯＰ１のプラス側入力端子に与えている。オペアンプＯＰ２は、プラス側入力端子がノードＮ２に、マイナス側入力端子が抵抗素子Ｒｉ５の一端及びＲｉ６の一端に、出力端子が抵抗素子Ｒｉ４の一端にそれぞれ接続されている。
【０２２１】
抵抗素子Ｒｉ４は、一端がオペアンプＯＰ２の出力端子に、他端がオペアンプＯＰ１のプラス側入力端子にそれぞれ接続されている。抵抗素子Ｒｉ５は、一端がオペアンプＯＰ２のマイナス側入力端子に、他端が調光ＬＥＤドライバ３０の接地端子（ノードＮ５）にそれぞれ接続されている。抵抗素子Ｒｉ６は、一端がオペアンプＯＰ２のマイナス側入力端子に、他端がオペアンプＯＰ２の出力端子にそれぞれ接続されている。
【０２２２】
なお、本実施の形態では、基準電圧Ｖｒｅｆを定電流Ｉ０に応じて変化させるために、オペアンプＯＰ２を備える場合について説明したが、これに限るものではない。オペアンプＯＰ２ではなく、飽和特性等を有する非線形特性を有する他の回路を備えていても構わない。
【０２２３】
［６−２．動作］
図２４は、本実施の形態における第一発光素子列及び第二発光素子列に流れる電流と定電流Ｉ０との関係の一例を示すグラフである。図２４のグラフ（ａ）は、オペアンプＯＰ２の出力電圧と定電流Ｉ０との関係を示しており、グラフ（ｂ）は、基準電圧Ｖｒｅｆと定電流Ｉ０との関係を示している。図２４のグラフ（ｃ）では、第一発光素子列ＬＥＤＧ１及び第二発光素子列ＬＥＤＧ２に流れる電流と定電流Ｉ０との関係を示している。
【０２２４】
図３に示される実施の形態１に係る発光装置１Ａのグラフでは、範囲Ｚ２において、電流Ｉ１は単調減少し、電流Ｉ２は単調増加していた。
【０２２５】
これに対し、図２４に示す本実施の形態に係る発光装置１Ｅのグラフでは、範囲Ｚ２の前半では、電流Ｉ１は増加し、後半において電流Ｉ１は減少している。これに伴い、電流Ｉ２は、範囲Ｚ２の前半の増加率よりも、後半の増加率が大きくなっている。
【０２２６】
つまり、電流調整回路１０Ｅは、定電流Ｉ０の大きさが第一閾値以上の値を持つ第三閾値以上の場合に（実施の形態１では、範囲Ｚ２の全て、本実施の形態では、範囲Ｚ２の後半部分）、定電流Ｉ０が大きくなるほど第一発光素子列ＬＥＤＧ１に流れる電流の大きさが小さくなるように、第一発光素子列ＬＥＤＧ１に流れる電流の大きさを調整している。
【０２２７】
さらに、本実施の形態においても、実施の形態１と同様に、可変抵抗素子Ｒｉを調整することにより、調光レベルと各発光素子列に流れる電流との関係を調整できる。なお、より調整の自由度を高めるために、抵抗素子Ｒｉ５に代えて、可変抵抗素子を用いてもよい。これにより、上記の第三閾値に対応する変化点における調光レベルを調整することができる。
【０２２８】
［６−３．効果など］
本実施の形態では、基準電圧Ｖｒｅｆを定電流Ｉ０に応じて変化させるように構成したので、調光パターンに変化を持たせることができる。これにより、発光装置１Ｅの調光と調色との対応関係の自由度をさらに高めることが可能になる。
【０２２９】
さらに、本実施の形態においても、実施の形態１と同様の効果を得ることができる。
【０２３０】
（実施の形態７）
実施の形態７として、上記各実施の形態に係る照明器具の適用例ついて図面を用いて説明する。
【０２３１】
図２５は、本実施の形態に係る照明器具８０の外観の一例を示す斜視図である。図２５に示す照明器具８０は、ダウンライトであり、回路ボックス８１と、灯体８２と、配線８３とを備えている。回路ボックス８１は、照明器具８０を構成する回路、例えば、調光ＬＥＤドライバ３０及び発光装置１Ａなどを収納する。灯体８２は、光源部２０Ａを収納する。配線８３は、照明器具８０を構成する回路と光源部とを繋ぐ配線である。なお、照明器具８０を構成する発光装置１Ａなどの回路は、光源部２０Ａと同一の基台に実装されて、灯体８２に収納されてもよい。
【０２３２】
なお、上記各実施の形態に係る照明器具の適用例は、ダウンライトに限定されない。上記各実施の形態に係る照明器具は、調光及び調色を行う任意の照明器具に適用することができる。
【０２３３】
（その他）
以上、本発明に係る発光装置及び照明器具について、上記各実施の形態に基づいて説明したが、本発明は、上記の実施の形態に限定されるものではない。
【０２３４】
（１）例えば、上記各実施の形態では、第一発光素子及び第二発光素子がＬＥＤである場合を例に説明したが、これに限るものではない。第一発光素子及び第二発光素子は、有機ＥＬ素子等、他の発光素子であっても構わない。
【０２３５】
（２）また、上記各実施の形態では、発光素子列は二つであったが、発光素子列は複数であればよく、三つ以上であってもよい。
【０２３６】
（３）上記各実施の形態では、第一発光素子及び第二発光素子の一例であるＬＥＤの順電圧の大きさが全て同じ（同種）である場合を例に説明したが、これに限るものではない。第一発光素子列ＬＥＤＧ１の順電圧の和＜最終段の発光素子列の順電圧の和となっていることが好ましい。最終段の発光素子列とは、電流調整回路が設けられていない発光素子列であり、上記各実施の形態では第二発光素子列ＬＥＤＧ２である。
【０２３７】
（４）上記各実施の形態では、発光装置が、色温度及び配光性の両方が異なる複数の発光素子列を備える場合について説明したが、発光装置の構成はこれに限定されない。発光装置は、例えば、色温度のみ、あるいは、配光性のみが異なる複数の発光素子列を備える等、他の構成であっても構わない。
【０２３８】
（５）上記各実施の形態では、第一発光素子列ＬＥＤＧ１を構成するＬＥＤの数を４個、第二発光素子列ＬＥＤＧ２を構成するＬＥＤの数を５個としたが、これに限るものではない。
【０２３９】
なお、上記各実施の形態において、順電圧の和の差により、第一発光素子列ＬＥＤＧ１に対して第二発光素子列ＬＥＤＧ２の発光開始タイミングをずらしているため、第二発光素子列ＬＥＤＧ２のＬＥＤの数は、第一発光素子列ＬＥＤＧ１のＬＥＤの数よりも多いことが好ましい。また、３以上の発光素子列を備える場合においても、各発光素子列の順電圧の和に差を持たせるように、ＬＥＤの数を決定することが好ましい。
【０２４０】
（６）上記各実施の形態では、定電流検出回路を設けたが、定電流検出回路は必須構成ではない。
【０２４１】
図２６は、定電流検出回路を設けない場合（実施の形態１の変形例１）における第一発光素子列及び第二発光素子列に流れる電流と定電流Ｉ０との関係（調光パターン）の一例を示すグラフである。
【０２４２】
この場合には、第一発光素子列ＬＥＤＧ１に流れる電流Ｉ１が０にはならない（範囲Ｚ３を設けることができない）。
【０２４３】
（７）その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０２４４】
１Ａ、１Ｂ、１Ｃ、１Ｄ、１Ｅ  発光装置
２Ａ、２ＡＡ、２ＡＢ、２Ｂ、２Ｃ、２Ｄ、２Ｅ、８０、１０２、１０２Ａ、１０２Ｂ  照明器具
１０Ａ、１０Ｃ、１０Ｄ、１０Ｅ  電流調整回路
１９  記憶部
２０Ａ  光源部
２２  基台
３０、３０Ａ、３０Ｂ、１３０、１３０Ａ、１３０Ｂ  調光ＬＥＤドライバ（定電流源）
１４０  調光器（位相調光器）
Ｉ０、Ｉ０Ａ、Ｉ０Ｂ  定電流
ＬＥＤＧ１  第一発光素子列
ＬＥＤＧ２  第二発光素子列
ＭＣＵ  マイコン（関係調整回路）
ＯＰ１  オペアンプ（比較演算増幅回路）
Ｑ１  トランジスタ
Ｒｄ１  抵抗素子（第一検出回路）
Ｒｄ２  抵抗素子（第二検出回路）
Ｒｉ、Ｒｄ  可変抵抗素子（関係調整回路）
【図１】
0006558698.tif 000002
【図２】
0006558698.tif 000003
【図３】
0006558698.tif 000004
【図４】
0006558698.tif 000005
【図５】
0006558698.tif 000006
【図６】
0006558698.tif 000007
【図７】
0006558698.tif 000008
【図８】
0006558698.tif 000009
【図９】
0006558698.tif 000010
【図１０】
0006558698.tif 000011
【図１１】
0006558698.tif 000012
【図１２】
0006558698.tif 000013
【図１３】
0006558698.tif 000014
【図１４】
0006558698.tif 000015
【図１５】
0006558698.tif 000016
【図１６】
0006558698.tif 000017
【図１７】
0006558698.tif 000018
【図１８】
0006558698.tif 000019
【図１９】
0006558698.tif 000020
【図２０】
0006558698.tif 000021
【図２１】
0006558698.tif 000022
【図２２】
0006558698.tif 000023
【図２３】
0006558698.tif 000024
【図２４】
0006558698.tif 000025
【図２５】
0006558698.tif 000026
【図２６】
0006558698.tif 000027